【手続補正書】
【提出日】平成23年8月5日(2011.8.5)
【手続補正１】
【補正対象書類名】特許請求の範囲
【補正対象項目名】全文
【補正方法】変更
【補正の内容】
【特許請求の範囲】
【請求項１】
制御部と記憶部とを少なくとも備えたナビゲーションサーバ、および、出力部と制御部と記憶部とを少なくとも備えたナビゲーション装置、を通信可能に接続したナビゲーションシステムであって、
上記ナビゲーションサーバの上記記憶部は、
道路区間毎に、車両の車種、車両の識別符号、排気量、または、年式のいずれか一つを少なくとも含む車両データと、当該車両の当該道路区間における燃費と、を対応付けて記憶する燃費記憶手段、
を備え、
上記ナビゲーションサーバの上記制御部は、
上記ナビゲーション装置から送信される上記道路区間、上記車両データ、および、当該道路区間における上記燃費を受信する燃費受信手段と、
上記燃費受信手段により受信された上記道路区間について、上記燃費記憶手段に記憶された上記車両データと、当該道路区間における上記燃費と、に基づいて燃費関連データを生成する燃費関連データ生成手段と、
上記燃費関連データ生成手段により生成された上記燃費関連データを、上記ナビゲーション装置に送信する燃費関連データ送信手段と、
を備え、
上記ナビゲーション装置の上記記憶部は、
上記ナビゲーション装置が搭載されている上記車両の上記車両データを記憶する車両データ記憶手段、
を備え、
上記ナビゲーション装置の上記制御部は、
上記道路区間における上記車両の上記燃費を算出する燃費算出手段と、
上記道路区間、上記車両データ、および、当該道路区間における上記燃費を上記ナビゲーションサーバに送信する燃費送信手段と、
上記ナビゲーションサーバから送信される上記燃費関連データを受信する燃費関連データ受信手段と、
上記燃費関連データ受信手段により受信された上記燃費関連データと、上記燃費算出手段により算出された上記燃費と、を比較し、当該比較に基づく比較結果を生成する比較手段と、
上記比較手段により生成された上記比較結果を上記出力部を介して出力させる比較結果出力手段と、
を備えたことを特徴とする、ナビゲーションシステム。
【請求項２】
請求項１に記載のナビゲーションシステムにおいて、
上記燃費関連データは、
上記車両の上記道路区間における平均燃費であることを特徴とする、ナビゲーションシステム。
【請求項３】
請求項１に記載のナビゲーションシステムにおいて、
上記燃費関連データは、
上記車両の上記道路区間における最も値の高い上記燃費であることを特徴とする、ナビゲーションシステム。
【請求項４】
請求項１から３のいずれか一つに記載のナビゲーションシステムにおいて、
上記ナビゲーション装置の上記出力部は、表示部を含んでおり、
上記比較結果は、
上記燃費関連データ受信手段により受信された上記燃費関連データに基づいて表示される走行位置と、上記燃費算出手段により算出された上記燃費に基づいて表示される上記車両の上記走行位置と、を比較して示した表示データであることを特徴とする、ナビゲーションシステム。
【請求項５】
請求項１から３のいずれか一つに記載のナビゲーションシステムにおいて、
上記ナビゲーション装置の上記出力部は、表示部を含んでおり、
上記比較結果は、
上記燃費関連データ受信手段により受信された上記燃費関連データと、上記燃費算出手段により算出された上記燃費と、を識別可能に示した上記表示データであることを特徴とする、ナビゲーションシステム。
【請求項６】
請求項１から５のいずれか一つに記載のナビゲーションシステムにおいて、
上記ナビゲーション装置の上記出力部は、音声出力部を含んでおり、
上記比較結果は、
音声データであることを特徴とする、ナビゲーションシステム。
【請求項７】
請求項１から６のいずれか一つに記載のナビゲーションシステムにおいて、
上記比較結果は、
上記燃費関連データ受信手段により受信された上記燃費関連データと上記燃費算出手段により算出された上記燃費との比較に基づく燃料価格の差に関する情報であることを特徴とする、ナビゲーションシステム。
【請求項８】
請求項１から７のいずれか一つに記載のナビゲーションシステムにおいて、
上記道路区間は、
高速道路のインターチェンジ間の区間、または、道路ネットワークデータにおける道路リンクで特定される区間であることを特徴とする、ナビゲーションシステム。
【請求項９】
請求項１から８のいずれか一つに記載のナビゲーションシステムにおいて、
上記ナビゲーションサーバの記憶部は、
道路ネットワークデータを記憶する道路ネットワークデータ記憶手段、
を更に備え、
上記ナビゲーションサーバの制御部は、
上記ナビゲーション装置から送信される少なくとも出発地と目的地とを含む経路探索条件を満たす上記出発地から上記目的地までの案内経路を、上記道路ネットワークデータ記憶手段に記憶された上記道路ネットワークデータを用いて探索し、案内経路データを生成する経路探索手段と、
上記経路探索手段により探索された案内経路に、上記燃費記憶手段において記憶された上記道路区間が含まれるか否か判定する道路区間判定手段と、
上記道路区間判定手段により上記案内経路に上記道路区間が含まれると判定された場合、当該道路区間が含まれることを予告する予告データを生成する予告データ生成手段と、
上記予告データ生成手段により生成された上記予告データを上記ナビゲーション装置に送信する予告データ送信手段と、
を更に備え、
上記ナビゲーション装置の制御部は、
上記ナビゲーションサーバから送信される上記予告データを受信する予告データ受信手段と、
上記予告データ受信手段により受信された上記予告データを上記出力部を介して出力させる予告データ出力手段と、
を更に備えたことを特徴とする、ナビゲーションシステム。
【請求項１０】
道路区間毎に、車両の車種、車両の識別符号、排気量、または、年式のいずれか一つを少なくとも含む車両データと、当該車両の当該道路区間における燃費と、を対応付けて記憶する燃費記憶手段と、
ナビゲーション装置が搭載されている上記車両の上記車両データを記憶する車両データ記憶手段と、
上記道路区間における上記ナビゲーション装置が搭載されている上記車両の上記燃費を算出する燃費算出手段と、
上記道路区間について、上記燃費記憶手段に記憶された上記車両データと、当該道路区間における上記燃費と、に基づいて燃費関連データを生成する燃費関連データ生成手段と、
上記燃費関連データ生成手段により生成された上記燃費関連データと、上記燃費算出手段により算出された上記燃費と、を比較し、当該比較に基づく比較結果を生成する比較手段と、
上記比較手段により生成された上記比較結果を出力部を介して出力させる比較結果出力手段と、
を備えたことを特徴とする、ナビゲーションシステム。
【請求項１１】
記憶部を少なくとも備えたナビゲーションサーバに通信可能に接続された、出力部と制御部と記憶部とを少なくとも備えたナビゲーション装置であって、
上記ナビゲーション装置の上記記憶部は、
上記ナビゲーション装置が搭載されている車両の車種、車両の識別符号、排気量、または、年式のいずれか一つを少なくとも含む車両データを記憶する車両データ記憶手段、
を備え、
上記制御部は、
道路区間における上記車両の燃費を算出する燃費算出手段と、
上記道路区間、上記車両データ、および、上記燃費算出手段により算出された上記燃費を上記ナビゲーションサーバに送信する燃費送信手段と、
上記ナビゲーションサーバから送信される、当該ナビゲーションサーバの上記記憶部に上記道路区間毎に記憶された上記車両の上記車両データおよび当該道路区間における上記車両の上記燃費に基づいて生成された当該道路区間の燃費関連データを受信する燃費関連データ受信手段と、
上記燃費関連データ受信手段により受信された上記燃費関連データと上記燃費算出手段により算出された上記燃費とを比較し、当該比較に基づく比較結果を生成する比較手段と、
上記比較手段により生成された上記比較結果を上記出力部を介して出力させる比較結果出力手段と、
を備えたことを特徴とする、ナビゲーション装置。
【請求項１２】
ナビゲーション装置に通信可能に接続された、制御部と記憶部とを少なくとも備えたナビゲーションサーバであって、
上記記憶部は、
道路区間毎に、車両の車種、車両の識別符号、排気量、または、年式のいずれか一つを少なくとも含む車両データと、当該車両の当該道路区間における燃費と、を対応付けて記憶する燃費記憶手段、
を備え、
上記制御部は、
上記ナビゲーション装置から送信される上記道路区間、上記車両データ、および、当該道路区間における上記燃費を受信する燃費受信手段と、
上記燃費受信手段により受信された上記道路区間について、上記燃費記憶手段に記憶された上記車両データと、当該道路区間における上記燃費と、に基づいて燃費関連データを生成する燃費関連データ生成手段と、
上記燃費関連データ生成手段により生成された上記燃費関連データを、上記ナビゲーション装置に送信する燃費関連データ送信手段と、
を備えたことを特徴とする、ナビゲーションサーバ。
【請求項１３】
出力部を少なくとも備えたナビゲーション装置に通信可能に接続された、制御部と記憶部とを少なくとも備えたナビゲーションサーバであって、
上記記憶部は、
道路区間毎に、車両の車種、車両の識別符号、排気量、または、年式のいずれか一つを少なくとも含む車両データと、当該車両の当該道路区間における燃費と、を対応付けて記憶する燃費記憶手段、
を備え、
上記制御部は、
上記道路区間における上記車両の上記燃費を算出する燃費算出手段と、
上記道路区間について、上記燃費記憶手段に記憶された上記車両データと、当該道路区間における上記燃費と、に基づいて燃費関連データを生成する燃費関連データ生成手段と、
上記燃費関連データ生成手段により生成された上記燃費関連データと、上記燃費算出手段により算出された上記燃費と、を比較し、当該比較に基づく比較結果を生成する比較手段と、
上記比較手段により生成された上記比較結果を上記ナビゲーション装置に送信することにより、上記ナビゲーション装置の上記出力部を介して出力させる比較結果出力制御手段と、
を備えたことを特徴とする、ナビゲーションサーバ。
【請求項１４】
制御部と記憶部とを少なくとも備えたナビゲーションサーバ、および、出力部と制御部と記憶部とを少なくとも備えたナビゲーション装置、を通信可能に接続したナビゲーションシステムにおいて実行される燃費比較方法であって、
上記ナビゲーションサーバの上記記憶部は、
道路区間毎に、車両の車種、車両の識別符号、排気量、または、年式のいずれか一つを少なくとも含む車両データと、当該車両の当該道路区間における燃費と、を対応付けて記憶する燃費記憶手段、
を備え、
上記ナビゲーション装置の上記記憶部は、
上記ナビゲーション装置が搭載されている上記車両の上記車両データを記憶する車両データ記憶手段、
を備え、
上記ナビゲーション装置の上記制御部において実行される、上記道路区間における上記車両の上記燃費を算出する燃費算出ステップと、
上記ナビゲーション装置の上記制御部において実行される、上記道路区間、上記車両データ、および、当該道路区間における上記燃費を上記ナビゲーションサーバに送信する燃費送信ステップと、
上記ナビゲーションサーバの上記制御部において実行される、上記ナビゲーション装置から送信される上記道路区間、上記車両データ、および、当該道路区間における上記燃費を受信する燃費受信ステップと、
上記ナビゲーションサーバの上記制御部において実行される、上記燃費受信ステップにて受信された上記道路区間について、上記燃費記憶手段に記憶された上記車両データと、当該道路区間における上記燃費と、に基づいて燃費関連データを生成する燃費関連データ生成ステップと、
上記ナビゲーションサーバの上記制御部において実行される、上記燃費関連データ生成ステップにて生成された上記燃費関連データを、上記ナビゲーション装置に送信する燃費関連データ送信ステップと、
上記ナビゲーション装置の上記制御部において実行される、上記ナビゲーションサーバから送信される上記燃費関連データを受信する燃費関連データ受信ステップと、
上記ナビゲーション装置の上記制御部において実行される、上記燃費関連データ受信ステップにて受信された上記燃費関連データと、上記燃費算出ステップにて算出された上記燃費と、を比較し、当該比較に基づく比較結果を生成する比較ステップと、
上記ナビゲーション装置の上記制御部において実行される、上記比較ステップにて生成された上記比較結果を上記出力部を介して出力させる比較結果出力ステップと、
を含むことを特徴とする、燃費比較方法。
【請求項１５】
ナビゲーションシステムにおいて実行される燃費比較方法であって、
上記ナビゲーションシステムは、
道路区間毎に、車両の車種、車両の識別符号、排気量、または、年式のいずれか一つを少なくとも含む車両データと、当該車両の当該道路区間における燃費と、を対応付けて記憶する燃費記憶手段と、ナビゲーション装置が搭載されている上記車両の上記車両データを記憶する車両データ記憶手段と、燃費算出手段と、燃費関連データ生成手段と、比較手段と、比較結果出力手段と、
を備え、
上記燃費算出手段が、上記道路区間における上記ナビゲーション装置が搭載されている上記車両の上記燃費を算出する燃費算出ステップと、
上記燃費関連データ生成手段が、上記道路区間について、上記燃費記憶手段に記憶された上記車両データと、当該道路区間における上記燃費と、に基づいて燃費関連データを生成する燃費関連データ生成ステップと、
上記比較手段が、上記燃費関連データ生成ステップにて生成された上記燃費関連データと、上記燃費算出ステップにて算出された上記燃費と、を比較し、当該比較に基づく比較結果を生成する比較ステップと、
上記比較結果出力手段が、上記比較ステップにて生成された上記比較結果を出力部を介して出力させる比較結果出力ステップと、
を含むことを特徴とする、燃費比較方法。
【請求項１６】
記憶部を少なくとも備えたナビゲーションサーバに通信可能に接続された、出力部と制御部と記憶部とを少なくとも備えたナビゲーション装置において実行される燃費比較方法であって、
上記ナビゲーション装置の上記記憶部は、
上記ナビゲーション装置が搭載されている車両の車種、車両の識別符号、排気量、または、年式のいずれか一つを少なくとも含む車両データを記憶する車両データ記憶手段、
を備え、
上記制御部において実行される、
道路区間における上記車両の上記燃費を算出する燃費算出ステップと、
上記道路区間、上記車両データ、および、当該道路区間における上記燃費を上記ナビゲーションサーバに送信する燃費送信ステップと、
上記ナビゲーションサーバから送信される、当該ナビゲーションサーバの上記記憶部に上記道路区間毎に記憶された上記車両の上記車両データおよび当該道路区間における上記車両の上記燃費に基づいて生成された当該道路区間の燃費関連データを受信する燃費関連データ受信ステップと、
上記燃費関連データ受信ステップにて受信された上記燃費関連データと、上記燃費算出ステップにて算出された上記燃費と、を比較し、当該比較に基づく比較結果を生成する比較ステップと、
上記比較ステップにて生成された上記比較結果を上記出力部を介して出力させる比較結果出力ステップと、
を含むことを特徴とする、燃費比較方法。
【請求項１７】
ナビゲーション装置に通信可能に接続された、制御部と記憶部とを少なくとも備えたナビゲーションサーバにおいて実行される燃費比較方法であって、
上記記憶部は、
道路区間毎に、車両の車種、車両の識別符号、排気量、または、年式のいずれか一つを少なくとも含む車両データと、当該車両の当該道路区間における燃費と、を対応付けて記憶する燃費記憶手段、
を備え、
上記制御部において実行される、
上記ナビゲーション装置から送信される上記道路区間、上記車両データ、および、当該道路区間における上記燃費を受信する燃費受信ステップと、
上記燃費受信ステップにて受信された上記道路区間について、上記燃費記憶手段に記憶された上記車両データと、当該道路区間における上記燃費と、に基づいて燃費関連データを生成する燃費関連データ生成ステップと、
上記燃費関連データ生成ステップにて生成された上記燃費関連データを、上記ナビゲーション装置に送信する燃費関連データ送信ステップと、
を含むことを特徴とする、燃費比較方法。
【請求項１８】
出力部を少なくとも備えたナビゲーション装置に通信可能に接続された、制御部と記憶部とを少なくとも備えたナビゲーションサーバにおいて実行される燃費比較方法であって、
上記記憶部は、
道路区間毎に、車両の車種、車両の識別符号、排気量、または、年式のいずれか一つを少なくとも含む車両データと、当該車両の当該道路区間における燃費と、を対応付けて記憶する燃費記憶手段、
を備え、
上記制御部において実行される、
上記道路区間における上記車両の上記燃費を算出する燃費算出ステップと、
上記道路区間について、上記燃費記憶手段に記憶された上記車両データと、当該道路区間における上記燃費と、に基づいて燃費関連データを生成する燃費関連データ生成ステップと、
上記燃費関連データ生成ステップにて生成された上記燃費関連データと、上記燃費算出ステップにて算出された上記燃費と、を比較し、当該比較に基づく比較結果を生成する比較ステップと、
上記比較ステップにて生成された上記比較結果を上記ナビゲーション装置に送信することにより、上記ナビゲーション装置の上記出力部を介して出力させる比較結果出力制御ステップと、
を含むことを特徴とする、燃費比較方法。
【請求項１９】
記憶部を少なくとも備えたナビゲーションサーバに通信可能に接続された、出力部と制御部と記憶部とを少なくとも備えたナビゲーション装置に実行させるためのプログラムであって、
上記ナビゲーション装置の上記記憶部は、
上記ナビゲーション装置が搭載されている車両の車種、車両の識別符号、排気量、または、年式のいずれか一つを少なくとも含む車両データを記憶する車両データ記憶手段、
を備え、
上記制御部において、
道路区間における上記車両の上記燃費を算出する燃費算出ステップと、
上記道路区間、上記車両データ、および、当該道路区間における上記燃費を上記ナビゲーションサーバに送信する燃費送信ステップと、
上記ナビゲーションサーバから送信される、当該ナビゲーションサーバの上記記憶部に上記道路区間毎に記憶された上記車両の上記車両データおよび当該道路区間における上記車両の上記燃費に基づいて生成された当該道路区間の燃費関連データを受信する燃費関連データ受信ステップと、
上記燃費関連データ受信ステップにて受信された上記燃費関連データと、上記燃費算出ステップにて算出された上記燃費と、を比較し、当該比較に基づく比較結果を生成する比較ステップと、
上記比較ステップにて生成された上記比較結果を上記出力部を介して出力させる比較結果出力ステップと、
を実行させるためのプログラム。
【請求項２０】
ナビゲーション装置に通信可能に接続された、制御部と記憶部とを少なくとも備えたナビゲーションサーバに実行させるためのプログラムであって、
上記記憶部は、
道路区間毎に、車両の車種、車両の識別符号、排気量、または、年式のいずれか一つを少なくとも含む車両データと、当該車両の当該道路区間における燃費と、を対応付けて記憶する燃費記憶手段、
を備え、
上記制御部において、
上記ナビゲーション装置から送信される上記道路区間、上記車両データ、および、当該道路区間における上記燃費を受信する燃費受信ステップと、
上記燃費受信ステップにて受信された上記道路区間について、上記燃費記憶手段に記憶された上記車両データと、当該道路区間における上記燃費と、に基づいて燃費関連データを生成する燃費関連データ生成ステップと、
上記燃費関連データ生成ステップにて生成された上記燃費関連データを、上記ナビゲーション装置に送信する燃費関連データ送信ステップと、
を実行させるためのプログラム。
【請求項２１】
ナビゲーション装置に通信可能に接続された、制御部と記憶部とを少なくとも備えたナビゲーションサーバに実行させるためのプログラムであって、
上記記憶部は、
道路区間毎に、車両の車種、車両の識別符号、排気量、または、年式のいずれか一つを少なくとも含む車両データと、当該車両の当該道路区間における燃費と、を対応付けて記憶する燃費記憶手段、
を備え、
上記制御部において、
上記道路区間における上記車両の上記燃費を算出する燃費算出ステップと、
上記道路区間について、上記燃費記憶手段に記憶された上記車両データと、当該道路区間における上記燃費と、に基づいて燃費関連データを生成する燃費関連データ生成ステップと、
上記燃費関連データ生成ステップにて生成された上記燃費関連データと、上記燃費算出ステップにて算出された上記燃費と、を比較し、当該比較に基づく比較結果を生成する比較ステップと、
上記比較ステップにて生成された上記比較結果を上記ナビゲーション装置に送信することにより、上記ナビゲーション装置の上記出力部を介して出力させる比較結果出力制御ステップと、
を実行させるためのプログラム。
【手続補正２】
【補正対象書類名】明細書
【補正対象項目名】発明の名称
【補正方法】変更
【補正の内容】
【発明の名称】ナビゲーションシステム、ナビゲーション装置、ナビゲーションサーバ、燃費比較方法、および、プログラム
【手続補正３】
【補正対象書類名】明細書
【補正対象項目名】０００１
【補正方法】変更
【補正の内容】
【０００１】
本発明は、ナビゲーションシステム、ナビゲーション装置、ナビゲーションサーバ、燃費比較方法、および、プログラムに関する。